(57)【特許請求の範囲】
【請求項１】
防食対象鋼材が埋設されたコンクリート構造物のコンクリート表面に前記防食対象鋼材の位置に合わせてアンカー孔を設け、
このアンカー孔に金属製アンカーを前記防食対象鋼材と接触するように設置し、
板状の流電陽極材と、この流電陽極材を前記コンクリート表面と自らの内面によって立体的に包囲する空間を形成するカバーと、前記流電陽極材ならびに前記カバーを支持する支持部および前記アンカーに着脱可能な上端部を有する金属製棒材とを有する電気化学的防食ユニットを前記上端部を通じて前記アンカーに固着することによって、前記防食対象鋼材と前記流電陽極材とを、前記金属製アンカーおよび前記金属製棒材を通じて電気的に接続する
流電陽極材の設置方法。
【請求項２】
請求項１に記載の流電陽極材の設置方法であって、
前記アンカー孔は、防食対象鋼材が埋設されたコンクリート構造物のコンクリート表面に前記防食対象鋼材の位置に合わせて削孔した施工孔の底面に設けられる
流電陽極材の設置方法。
【請求項３】
請求項１または２に記載の流電陽極材の設置方法であって、
前記アンカーは、本体打ち込み式メスネジタイプの金属製アンカーである
流電陽極材の設置方法。
【請求項４】
請求項１または２に記載の流電陽極材の設置方法であって、
前記アンカーは、金属製クリップ部材である
流電陽極材の設置方法。
【発明の詳細な説明】
【技術分野】
【０００１】
本発明は、高架道路や橋梁等を構成する鉄筋コンクリート床版や箱桁、地中に埋設されたボックスカルバート等のコンクリート構造物の電気化学的防食工法に用いられる点状陽極方式の流電陽極材の設置方法に関する。
【背景技術】
【０００２】
例えば、高架道路や橋梁等を構成する鉄筋コンクリート床版やコンクリート箱桁のウェブ部、地中構造物を構成するボックスカルバート等のように、鉄筋等の鋼材が埋設された厚みのあるコンクリート部を有するコンクリート構造物では、コンクリートの中性化、コンクリートの材料に含まれる塩分、外部からの飛来塩分や凍結防止材等の影響（塩害）によって内部鋼材が腐食し、コンクリート構造物の劣化を招く場合がある。
【０００３】
このような鉄筋等の鋼材の腐食対策には、鋼材に電流を供給することにより鉄筋等の鋼材（以下、防食対象鋼材という）の腐食を防止する電気化学的防食工法が知られており、電流の供給方式によって外部電源方式と流電（犠牲）陽極方式とに大別される。
【０００４】
外部電源方式は、コンクリート表面又はコンクリート内部にチタン等からなる不溶性陽極を設置し、この不溶性陽極と陰極を成す鉄筋との間に直流電源装置を接続し、鉄筋に不溶性陽極から電流を供給するものであって、電流量を調節でき、長期の防食性にも優れていることから、鉄筋コンクリート構造物の電気化学的防食工法に多く用いられている。
【０００５】
しかし、この種の外部電源方式による電気化学的防食工法は、外部電源装置やその制御装置等を必要とする為、設備費が高価であるとともに、その維持管理費も嵩むという問題があった。
【０００６】
それに対し、流電陽極方式は、防食対象鋼材に比べて酸化還元電位の低い亜鉛、アルミニウム等からなる流電陽極をコンクリート表面部に設置し、この流電陽極と鉄筋との電位差を利用して鉄筋に電流を供給するものであって、発生する電流量は小さいが、十分な防食効果が期待でき、且つ、外部電源等が不要で導入費用や維持管理費用が安価であることから、この方式による防食工法のコンクリート床版、コンクリート箱桁、ボックスカルバート等の各種コンクリート構造物への適用が望まれている。
【０００７】
一方、コンクリート構造物の電気化学的防食構造では、防食対象鋼材が埋設されたコンクリート部に対する陽極の配置によって、面状陽極方式、線状陽極方式及び点状陽極方式に分類される。
【０００８】
面状陽極方式は、シート状又は網状に形成された陽極材をコンクリート部の表面に敷設するものであり、線状陽極方式では、コンクリート部表面に複数の溝を形成し、その溝に線状の陽極材が埋め込まれる（特許文献１参照）。点状陽極方式は、鉄筋量に応じてコンクリートに複数の穴を設け、そこに陽極を挿入した後、当該穴をセメント系の無収縮性モルタル等によって埋め戻し、陽極をコンクリート内に設置する工法である（特許文献２参照）。
【先行技術文献】
【特許文献】
【０００９】
【特許文献１】特開２００８−１６９４６２号公報
【特許文献２】特開２０１７−１７９５２６号公報
【発明の概要】
【発明が解決しようとする課題】
【００１０】
面状陽極方式は、陽極材によってコンクリート表面が覆われるので、腐食抑制効果がコンクリートの全面において漏れなく得られることが期待できる。しかし、コンクリート面が見えなくなるため、コンクリート表面側から防食効果を確認することが困難である。さらに、面状陽極方式は、防食対策を必要としない部位をも含めて陽極材によってコンクリート表面が全体的に覆われるため、部分的に防食したい場合に不向きである。線状陽極方式においても面状陽極方式ほどではないものの、やはり線状陽極の埋め込み部分が防食効果確認の際の障害物になる、部分的な防食対策に不向きであるなど、同様な課題がある。また、線状陽極方式は、埋め込んだ線状陽極材同士を導線で電気的に接続する必要があり、その作業に多大な手間を要する。
【００１１】
また、線状陽極方式および点状陽極方式では、陽極材をコンクリート構造物に埋設して防食対象鋼材と電気的に接続するために、防食対象鋼材が露出するまでコンクリートの表面部分を斫り取ることが行われることが多い。しかしながら、コンクリートの斫り作業、斫り取った部分の修復作業などに多大な手間と時間がかかる。また、このような埋設型の点状陽極方式は、流電陽極材をコンクリート構造物の表面に鉛直に挿入埋設することなどによって、コンクリート構造物の表面近くの鉄筋のみならず、それより奥にある鉄筋に対しても防食効果を得られることが期待できるものの、コンクリート構造物に流電陽極材を埋め込むための削孔をコアドリルなどの大がかりな器具を使ってくり抜く必要があり、やはり手間とコストが嵩む。
【００１２】
さらに、一般的には面状陽極方式、線状陽極方式ともコンクリート構造物表面全体に対して施されるが、電気防食が必要な領域は偏在していることが多いため、流電陽極材が局部的に溶解してしまい、一部交換が必要な場合であっても広範囲に交換する必要があった。
【００１３】
本発明の目的は、点状陽極方式の流電陽極材の設置、流電陽極材の設置後のコンクリートの修復、および流電陽極材の交換が容易なコンクリート構造物の電気化学的防食構造を得ることのできる流電陽極材の設置方法を提供することにある。
【課題を解決するための手段】
【００１４】
上記の課題を解決するために、本発明に係る一形態の流電陽極材の設置方法は、防食対象鋼材が埋設されたコンクリート構造物のコンクリート表面に前記防食対象鋼材の位置に合わせてアンカー孔を設け、前記アンカー孔に前記防食対象鋼材と接触させた状態で金属製アンカーを設置し、板状の流電陽極材と、この流電陽極材を前記コンクリート表面と自らの内面によって立体的に包囲する空間を形成するカバーと、前記流電陽極材ならびに前記カバーを支持する支持部および前記アンカーに着脱可能な上端部を有する金属製棒材とを有する電気化学的防食ユニットを前記上端部を通じて前記アンカーに固着することによって、前記防食対象鋼材と前記流電陽極材とを、前記金属製アンカーおよび前記金属製棒材を通じて電気的に接続する。
【００１５】
本発明の一形態の流電陽極材の設置方法によれば、点状陽極方式の流電陽極材をコンクリート構造物の外に取り付けることができる。このため、コンクリート構造物の防食対象鋼材と導通をとるために必要な部分だけコンクリート部を斫り取ればすむなど、コンクリート部の切削量をより少なく抑えることができ、流電陽極材の設置作業を効率的に行うことができる。さらに、流電陽極材をコンクリート構造物の外部に棒材を介して着脱可能な状態で取り付けたことによって、カバーを外すだけで流電陽極材の消耗状態を目視確認することができ、消耗がすすんだ流電陽極材の交換作業を含めた保守管理コストも低く抑えることができる。
【００１６】
また、上記の流電陽極材の設置方法において、前記アンカーとして金属製アンカーを使用するとともに、前記棒材として金属製棒材を使用し、前記防食対象鋼材と前記流電陽極材とが、前記金属製アンカーおよび前記金属製棒材を通じて電気的に接続されるように、前記金属製アンカーを前記施工孔の底面の前記アンカー孔に前記防食対象鋼材と接触するように設置することによって、防食対象鋼材と、流電陽極材を導通状態で支持する棒材とを電気的に接続するための別部材が不要となり、施工の容易化およびコストの引き下げを図れる。
【００１７】
前記アンカー孔は、防食対象鋼材が埋設されたコンクリート構造物のコンクリート表面に前記防食対象鋼材の位置に合わせて削孔した施工孔の底面に設けられてもよい。
【００１８】
前記アンカーには、本体打ち込み式メスネジタイプの金属製アンカーを用い得る。
さらに、アンカーは金属製グリップ部材であってよい。
【図面の簡単な説明】
【００１９】
【図１】本発明に係る第１の実施形態のコンクリート構造物の電気化学的防食構造を示す断面図である。
【図２】図１のコンクリート構造物の電気化学的防食構造における施工孔１Ｈ周辺の構造を拡大して示す断面図である。
【図３】第１の実施形態の流電陽極材の設置方法の手順において施工孔の削孔段階を示す図である。
【図４】第１の実施形態の流電陽極材の設置方法の手順においてアンカーの設置段階を示す図である。
【図５】第１の実施形態の流電陽極材の設置方法の手順においてアンカーへの取り付けボルトの固定段階を示す図である。
【図６】第１の実施形態の流電陽極材の設置方法の手順において流電陽極材の取り付け段階を示す図である。
【図７】バックフィル材を充填する注入方法を説明するための断面図である。
【図８】図７の注入方法において充填完了状態を示す断面図である。
【図９】バックフィル材を充填する余盛方法において、取り付け前のカバー内にバックフィル材１８を余盛状態にして収容した段階を示す図である。
【図１０】図９の余盛方法において充填完了状態を示す断面図である。
【図１１】図９の余盛方法において流電陽極材にバックフィル材を通過させるための貫通口を設けた例を示す断面図である。
【図１２】本発明に係る流電陽極材の設置方法に係る変形例１を示す断面図である。
【図１３】本発明に係る流電陽極材の設置方法に係る変形例２を示す断面図である。
【図１４】本発明に係る流電陽極材の設置方法を採用したコンクリート箱桁を示す断面図である。
【発明を実施するための形態】
【００２０】
次に、本発明に係る実施形態を図面に基づいて説明する。
【００２１】
＜第１の実施形態＞
図１は本発明に係る第１の実施形態のコンクリート構造物の電気化学的防食構造を示す断面図である。
同図において、コンクリート構造物である鉄筋コンクリート床版１には、下面１Ｕから所定距離離れた位置に防食対象鋼材である鉄筋２が配設されている。鉄筋コンクリート床版１の下面１Ｕには、点状陽極方式の電気化学的防食ユニット１０が設置される。この電気化学的防食ユニット１０は、棒材である取り付けボルト１１と、流電陽極材１３と、カバー１５とを有する。
【００２２】
取り付けボルト１１は、鉄筋コンクリート床版１の下面１Ｕ側に電気化学的防食ユニット１０を取り付けるための一本の棒状部材である。取り付けボルト１１は例えばアルミニウム材、炭素鋼材などの耐食性を有する金属材料で構成される。取り付けボルト１１の全長部分あるいはその一部の周面にはねじ山が設けられている。取り付けボルト１１は、鉄筋コンクリート床版１に設置されたアンカー３に挿入されて固定される上端部１１ａと、流電陽極材１３およびカバー１５を互いに棒軸方向に離間した位置で支持する支持部１１ｂとを有する。
【００２３】
本実施形態のコンクリート構造物の電気化学的防食構造では、鉄筋コンクリート床版１の下面１Ｕに、例えば鉄筋２の下端またはその近傍の深さにまでに達する鉄筋接続用の施工孔１Ｈが削孔される。この施工孔１Ｈの奥底面には、鉄筋コンクリート床版１の鉄筋２に対して互いの側面同士が接触するように金属製のアンカー３が設置される。
【００２４】
図２は図１のコンクリート構造物の電気化学的防食構造における施工孔１Ｈ周辺の構造を拡大して示す断面図である。同図に示すように、アンカー３には、例えば、本体打ち込み式メスネジタイプの金属製のアンカー３などを用い得る。本体打ち込み式メスネジタイプのアンカー３は、施工孔１Ｈの底面１Ｋに削孔されたアンカー孔４に圧入保持されるアンカー本体である中空筒状のスリーブ３Ａを有し、スリーブ３Ａの一方端部には拡張部３Ｃが設けられる。拡張部３Ｃは、スリーブ３Ａの軸方向上端部に開けられた開口３Ｆよりスリーブ３Ａ内に押し込まれたプラグ３Ｅによって半径方向に拡張し、拡張部３Ｃの外周部３Ｂがアンカー孔４の内壁面４Ａに喰い込む。これによって、アンカー３がアンカー孔４に固着する。また、スリーブ３Ａには、軸方向他端面に開口したネジ孔３Ｊが設けられており、このネジ孔３Ｊに取り付けボルト１１の上端部１１ａが螺入されることによって、取り付けボルト１１がアンカー３に固定される。
【００２５】
上記のように、施工孔１Ｈの底面１Ｋに鉄筋コンクリート床版１中の鉄筋２に対して互いの周面同士が接触するように金属製のアンカー３を設置し、このアンカー３に取り付けボルト１１の上端部１１ａを固定することによって、鉄筋２、アンカー３および取り付けボルト１１が電気的に接続され、鉄筋２と流電陽極材１３との電位差に起因した防食電流が流れるようになっている。
【００２６】
図１に戻って、取り付けボルト１１の支持部１１ｂには流電陽極材１３とカバー１５が支持される。流電陽極材１３は、防食対象鋼材である鉄筋２に比べ酸化還元電位の低い材料例えば亜鉛、アルミニウム、マグネシウム合金等からなる板状例えば円盤状の部材である。流電陽極材１３の例えば中心部などの所定の部位には取り付けボルト１１が挿通される孔部１３ａがあり、流電陽極材１３は、この孔部１３ａに挿通された取り付けボルト１１に一対の取付金具１４Ａ、１４Ｂによって取り付けられる。
【００２７】
カバー１５は、上側が開口した筒形（円筒形あるいは多角筒型）であり、取り付けボルト１１に取り付けられた流電陽極材１３を、コンクリート表面１Ｕと自らの内面によって立体的に包囲する空間を形成する。カバー１５は、取り付けボルト１１の支持部１１ｂの下端部分に座金付きナットなどの取付金具１４Ｃを用いて着脱可能に取り付けられる。カバー１５は、上部の開口周りの上端面１５ａを、パッキン材１６を挟んで鉄筋コンクリート床版１の下面１Ｕに突き当てた状態にして設置される。
【００２８】
流電陽極材１３は、カバー１５の内面とコンクリート表面１Ｕとで形成される立体空間の略中央に配置され、この空間内にはバックフィル材１８が充填される。バックフィル材１８は、流電陽極材１３の周囲近傍の抵抗を下げることによって、流電陽極材１３の溶解を容易にすることなどを目的とするものである。なお、バックフィル材１８には、例えば石膏、ベントナイトなどを主剤とする流動性材料を用い得る。あるいは、フェノール樹脂連続発泡体等の保水性を有する多孔質部材内部に電解質溶液を含浸保持したものなども用い得る。
【００２９】
なお、鉄筋コンクリート床版１の下面１Ｕに削孔した施工孔１Ｈは、例えばカバー１５が取り付けられる前に、例えば無収縮性モルタルあるいはバックフィル材などの充填材１９によって埋められてもよい。
【００３０】
＜施工手順＞
次に、本実施形態のコンクリート構造物の電気化学的防食構造に係る流電陽極材の設置方法の手順について図３から図８を用いて説明する。
まず、防食施工対象の鉄筋コンクリート床版１の設計図等を参照し、鉄筋コンクリート床版１内の防食対象鋼材である鉄筋２の位置を調べ、施工孔１Ｈの位置を決定する。あるいは、コンクリート内部探査レーダを使用して鉄筋２を探索して施工孔１Ｈの位置を決定してもよい。
【００３１】
次に、図３に示すように、鉄筋コンクリート床版１の下面１Ｕ側にドリルカッターなどを使って施工孔１Ｈを削孔する。この際、鉄筋２の位置を目視できる程度の深さまで削孔し、鉄筋２の直ぐ脇にアンカー３を設置可能な領域が確保されるように施工孔１Ｈの位置が決められる。
【００３２】
次に、図４に示すように、施工孔１Ｈの底面１Ｋにハンドドリルなどを用いてアンカー孔４を穿孔し、このアンカー孔４にアンカー３を圧入して設置する。このとき、アンカー３のスリーブ３Ａと鉄筋２の互いの側面同士が接触して両者の電気的な接続が確実に得られるように注意すべきである。
【００３３】
次に、図５に示すように、取り付けボルト１１の上端部１１ａをアンカー３のスリーブ３Ａのネジ孔３Ｊ内に螺入してアンカー３に取り付けボルト１１を固定する。続いて、鉄筋コンクリート床版１の下面１Ｕに削孔した施工孔１Ｈを、例えば無収縮性モルタルやバックフィル材などの充填剤１９で埋める。なお、この工程は、カバー１５内にバックフィル材１８を充填する際に同時に施工孔１Ｈもバックフィル材で埋める場合には省くことができる。
【００３４】
続いて、図６に示すように、取り付けボルト１１の支持部１１ｂに流電陽極材１３を上下一対の座金付きナットなどの取付金具１４Ａ、１４Ｂで取り付ける。取り付けボルト１１において流電陽極材１３が取り付けられる高さ位置は、鉄筋コンクリート床版１の下面１Ｕより低い位置であり、あるいは、バックフィル材１８の充填性を考慮すると、鉄筋コンクリート床版１の下面１Ｕから下方に突出した取り付けボルト１１の略中間の高さ位置が適当である。すなわち、鉄筋コンクリート床版１の下面１Ｕから流電陽極材１３までの隙間が狭すぎると、その隙間部分にバックフィル材１８が十分充填されない可能性があるからである。
【００３５】
次に、図１に示したように、取り付けボルト１１の支持部１１ｂに取付金具１４Ｃでカバー１５を取り付けるとともに、鉄筋コンクリート床版１の下面１Ｕとカバー１５の内面とによって形成される立体空間内にバックフィル材１８を充填する。
【００３６】
以上のように、この第１の実施形態のコンクリート構造物の電気化学的防食構造および流電陽極材の設置方法によれば、点状陽極方式の流電陽極材１３を鉄筋コンクリート床板１の外に取り付けることができる。これにより、流電陽極材を鉄筋コンクリート床板１のコンクリート部に埋め込む工法に比べ、コンクリート部の切削量を低く抑えることができる。具体的には、鉄筋コンクリート床板１中の鉄筋２と導通をとるために必要な部分だけコンクリート部を削孔すればよい。このコンクリート切削量の低減によって、流電陽極材を含む電気化学的防食ユニット１０の設置作業を効率的に行うことが可能になる。さらに、流電陽極材１３を鉄筋コンクリート床板１の外に取り付けたことによって、カバー１５を外すだけで流電陽極材１３の防食による消耗状態を目視確認することができる。したがって、コンクリート部に流電陽極材を埋め込む工法などに比べ、流電陽極材１３の交換作業を速やかに行うことができ、保守管理コストを低減できる。
【００３７】
＜バックフィル材の充填方法＞
次に、流動性のバックフィル材１８を鉄筋コンクリート床版１の下面１Ｕとカバー１５の内面とによって形成される立体空間内に充填する方法について説明する。
流動性のバックフィル材を充填する方法には、注入方法と余盛方法がある。
【００３８】
注入方法は、取り付けボルト１１の支持部１１ｂにカバー１５を仮止めした状態でバックフィル材１８を注入する方法である。図７に示すように、カバー１５内に流動性のバックフィル材１８を注入するために、カバー１５には注入口１５ｂが設けられる。注入口１５ｂは、例えば、カバー１５の取り付け完了状態において底部となる部位などに設けられることが好ましい。注入口１５ｂにバックフィル材供給用のノズル１７を指し込み、ノズル１７を通じてカバー１５内にバックフィル材１８を注入（圧入）する。
【００３９】
カバー１５内へのバックフィル材１８の注入によってカバー１５内の空間のエアーＥがバックフィル材１８で置き換えられることに伴って、エアーＥがスムースにカバー１５外に排出されるように、バックフィル材１８の注入時、鉄筋コンクリート床版１の下面１Ｕとカバー１５の上部開口周りの端面１５ａに接着されたパッキン材１６の端面との間に適度な隙間Ｇを確保しておくことが望ましい。
【００４０】
図８に示すように、カバー１５内がバックフィル材１８でほぼ満たされると、上記の隙間Ｇからバックフィル材１８が溢れ出すので、この状態をバックフィル材１８の充填完了状態と見なしてバックフィル材１８の注入を終了し、ノズル１７を外すとともに注入口１５ｂを蓋などで塞ぐ。
【００４１】
この後、カバー１５を、開口周りの上端面１５ａに接着されたパッキン材１６の端面が鉄筋コンクリート床版１の下面１Ｕに突き当たる高さまで持ち上げ、取り付け金具１４Ｃでカバー１５の高さ位置を固定する。もって電気化学的防食ユニット１０の取り付けが完了する。
【００４２】
図９、図１０は余盛方法を説明するための図である。
図９に示すように、予め、例えばカバー１５を取り付けボルト１１に取り付ける前などに、カバー１５内に、鉄筋コンクリート床版１の下面１Ｕとカバー１５の内面とにより形成される空間（流電陽極材１３が占める空間を除く。）を満たすのに十分な量のバックフィル材１８を余盛状態で入れる。
【００４３】
次に、図１０に示すように、カバー１５の底面に設けられた孔部（図示省略）に取り付けボルト１１の支持部１１ｂを挿入し、カバー１５を鉄筋コンクリート床版１の下面１Ｕへ向けて持ち上げる。カバー１５が鉄筋コンクリート床版１の下面１Ｕに接近したところで、カバー１５内のバックフィル材１８の余剰分がカバー１５と鉄筋コンクリート床版１の下面１Ｕとの隙間Ｇから溢れはじめる。したがって、カバー１５の開口周りのパッキン材１６の端面が鉄筋コンクリート床版１の下面１Ｕに突き当たった時点では、鉄筋コンクリート床版１の下面１Ｕとカバー１５の内面とにより形成される立体空間内にバックフィル材１８が満たされた状態となる。最後に、図１に示したように、カバー１５を取り付けボルト１１の支持部１１ｂに取付金具１４Ｃで高さ位置を固定する。以上で、バックフィル材１８が充填された電気化学的防食ユニット１０の取り付けが完了する。
【００４４】
また、流電陽極材１３の上面と鉄筋コンクリート床版１の下面１Ｕとの間の空間にバックフィル材１８が十分回り込むように、図１１に示すように、流電陽極材１３にバックフィル材１８を通過させるための貫通口１３ｂを設けてもよい。
【００４５】
この余盛方法によれば、上記の注入方法に比べ、バックフィル材１８の充填を短時間に行うことができる。また、バックフィル材１８をカバー１５内に余盛状態に入れる作業は、地上で下向きで行うことができる。よって、上記の注入方法に比べ、作業効率に優れ、カバー１５に注入口を設けたり、注入口を塞ぐための蓋を用意する必要がないため、低コスト化を期待できる。
【００４６】
＜変形例１＞
次に、上記実施形態の変形例１を示す。
図１２は、本発明に係る流電陽極材の設置方法の変形例１を示す断面図である。
この変形例では、鉄筋コンクリート床版１の下面１Ｕに施工孔１Ｈを設けず、下面１Ｕにアンカー孔４が直接設けられる。このアンカー孔４に本体打ち込み式メスネジタイプのアンカー３が鉄筋２と接触するように圧入されて保持される。そしてこのアンカー３のスリーブ３Ａのネジ孔３Ｊに取り付けボルト１１の上端部１１ａが螺入して固定される。
【００４７】
＜変形例２＞
次に、上記実施形態の変形例２を示す。
図１３は、本発明に係る流電陽極材の設置方法の変形例２を示す断面図である。
本変形例は、取り付けボルト１１の鉄筋コンクリート床版１への固定および鉄筋２との電気的接続に金属製のクリップ部材６を用いた例である。
【００４８】
クリップ部材６は、バネ鋼板などのバネ鋼材から曲げ加工などによって製作され得るものであり、基部６ａと、互いに対向する一対の脚部６ｂ、６ｃからなる。基部６ａは、鉄筋２の外周形状に対応する略円筒形の断面形状を有し、鉄筋２を内側に嵌め込むことによって鉄筋２に掛止される。一対の脚部６ｂ、６ｃは基部６ａから延設された部分であり、取り付けボルト１１の上端部１１ａを両側より挟持する。それぞれの脚部６ｂ、６ｃは鉄筋２を基部６ａの内側に嵌め込むために脚部６ｂ、６ｃ間を通過する際に内側から外に押圧されて開脚し、鉄筋２が基部６ａ内に収まると弾性復元力によって閉脚して鉄筋２を基部６ａ内にホールドする。この後、閉脚状態の一対の脚部６ｂ、６ｃの間に、取り付けボルト１１の上端部１１ａが挿入され、溶着あるいは接着などによって互いに固着される。
【００４９】
以降は、第１の実施形態の設置方法と同様に、施工孔１Ｍ内への充填材の充填、流電陽極材１３およびカバー１５の取り付け、バックフィル材１８の充填が行われて防食ユニットの設置作業が完了となる。
【００５０】
なお、この変形例では、鉄筋２をクリップ部材６の基部６ａの内側に嵌め込むために、施工孔１Ｍの奥に露出した鉄筋２の全周囲のコンクリート部を斫り取ることによってクリップ設置空間７を形成する必要がある。
【００５１】
本発明に係るコンクリート構造物の電気化学的防食構造は、上述の鉄筋コンクリート床版の例に限定されず、例えば、コンクリート箱桁や、地中に埋設されたボックスカルバート、その他のコンクリート構造物にも適用することができる。
【００５２】
図１４はコンクリート箱桁に本発明に係るコンクリート構造物の電気化学的防食構造を採用した施行例を示す断面図である。
この施工例では、コンクリート箱桁３０の下床版３２の下側の鉄筋２、および各ウェブ３３、３４の外側の鉄筋２を防食対象鋼材とするため、下床版３２の下側面と各ウェブ３３、３４の外側面にそれぞれ電気的に独立した電気化学的防食ユニット１０が設置される。
なお、下床版３２の上側の鉄筋、各ウェブ３３、３４の内側の鉄筋、あるいは上床版３１の鉄筋２を防食対象鋼材とする場合も同様に、その防食対象鋼材である鉄筋２の配置位置に近いコンクリート面側に電気化学的防食ユニット１０を設置すればよい。
【００５３】
以上、鉄筋２を防食対象鋼材とする場合について説明したが、コンクリート構造物中の例えば鉄骨など、その他の鋼材を防食対象鋼材とする場合においても、本発明は応用し得るものである。
【符号の説明】
【００５４】
１…鉄筋コンクリート床版
１Ｈ…施工孔
２…鉄筋
３…アンカー
４…アンカー孔
１０…電気化学的防食ユニット
１１…取り付けボルト
１１ａ…上端部
１１ｂ…支持部
１３…流電陽極材
１５…カバー
１８…バックフィル材
【図１】
0006875467.tif 000002
【図２】
0006875467.tif 000003
【図３】
0006875467.tif 000004
【図４】
0006875467.tif 000005
【図５】
0006875467.tif 000006
【図６】
0006875467.tif 000007
【図７】
0006875467.tif 000008
【図８】
0006875467.tif 000009
【図９】
0006875467.tif 000010
【図１０】
0006875467.tif 000011
【図１１】
0006875467.tif 000012
【図１２】
0006875467.tif 000013
【図１３】
0006875467.tif 000014
【図１４】
0006875467.tif 000015